(57)【要約】【課題】組み付け時の取り扱い性を向上させた光ピックアップ装置を提供する。【解決手段】カバー部材ＣＶは、第１半導体レーザＬＤ１とレーザ２レーザ１パッケージ２Ｌ１Ｐを露出する切欠ＣＶａ、ＣＶｂを有するので、周囲部品を極力、第１半導体レーザＬＤ１と２レーザ１パッケージ２Ｌ１Ｐまで接近させることができるため、コンパクトな構成を提供できる。又、カバー部材ＣＶは、２レーザ１パッケージ２Ｌ１Ｐの両側に突き出された一対の保持部ＣＶｄ、ＣＶｅを有するので、組み付け時に、２レーザ１パッケージ２Ｌ１Ｐの端子Ｔが当接する前に、これがサブレールＳＲと当接することで、端子ＴとサブレールＳＲとの直接当接が抑制され、組み付け時の取り扱い性を高めることができる。【選択図】図２
2007200487.tif 000002
【特許請求の範囲】
【請求項１】
光源からの光束を光学系を介して対物レンズに入射させ、前記対物レンズから光情報記録媒体の情報記録面に集光することによって情報の記録及び／又は再生を行う光ピックアップ装置において、
メインレールとサブレールに沿って移動すると共に、前記メインレール及び前記サブレールの少なくとも一方の近傍に前記光源を搭載したキャリヤと、
前記キャリヤの上部又は下部の一部を覆うカバー部材と、を有し、
前記カバー部材は、前記光源を露出する切欠と、前記光源と前記少なくとも一方との間に配置された保護部とを有することを特徴とする光ピックアップ装置。
【請求項２】
前記カバー部材は板部材であって、前記保護部は、前記光源の端子の両側に突き出して折り曲げられた部位であることを特徴とする請求項１に記載の光ピックアップ装置。
【請求項３】
光源からの光束を光学系を介して対物レンズに入射させ、前記対物レンズから光情報記録媒体の情報記録面に集光することによって情報の記録及び／又は再生を行う光ピックアップ装置において、
メインレールとサブレールに沿って移動するキャリヤと、
前記メインレール及び前記サブレールの少なくとも一方の近傍において、前記光源を保持するために前記キャリヤに取り付けられるホルダと、を有し、
前記ホルダは、前記光源と前記少なくとも一方との間に配置された保護部を備えていて、前記ホルダと前記保護部とは一体化していることを特徴とする光ピックアップ装置。
【請求項４】
光源からの光束を光学系を介して対物レンズに入射させ、前記対物レンズから光情報記録媒体の情報記録面に集光することによって情報の記録及び／又は再生を行う光ピックアップ装置において、
メインレールとサブレールに沿って移動するキャリヤが設けられ、前記キャリヤは、前記メインレール及び前記サブレールの少なくとも一方の近傍に前記光源を搭載すると共に、前記光源と前記少なくとも一方との間に配置された保護部を備えていて、前記キャリヤと前記保護部とは一体化していることを特徴とする光ピックアップ装置。
【発明の詳細な説明】
【技術分野】
【０００１】
本発明は、光ピックアップ装置に関し、特に薄形であって光情報記録媒体に対して適切に情報の記録及び／又は再生を行える光ピックアップ装置に関する。
【背景技術】
【０００２】
近年、波長４００ｎｍ程度の青紫色半導体レーザを用いて、情報の記録／再生を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ Ｄｉｓｃ（ＢＤ）では、ＤＶＤ（ＮＡ０．６、光源波長６５０ｎｍ、記憶容量４、７ＧＢ）と同じ大きさである直径１２ｃｍの光ディスクに対して、１面あたり２０〜３０ＧＢの情報の記録が可能であり、又、ＮＡ０．６５、光源波長４０５ｎｍの仕様で情報記録／再生を行う光ディスク、いわゆるＨＤ ＤＶＤでは、直径１２ｃｍの光ディスクに対して、１面あたり１５〜２０ＧＢの情報の記録が可能である。以下、本明細書では、このような光ディスクを「高密度ＤＶＤ」と呼ぶ。
【０００３】
ところで、このような高密度ＤＶＤに対して適切に情報を記録／再生できるというだけでは、光ピックアップ装置の製品としての価値は十分なものとはいえない。現在において、多種多様な情報を記録したＤＶＤやＣＤが販売されている現実をふまえると、高密度ＤＶＤに対して適切に情報を記録／再生できるだけでは足らず、例えばユーザーが所有している従来のＤＶＤ或いはＣＤに対しても同様に適切に情報を記録／再生できるようにすることが、互換タイプの光ピックアップ装置として製品の価値を高めることに通じるのである。このような背景から、互換タイプの光ピックアップ装置に用いる光学系は、低コストで簡素な構成を有することは勿論であり、それに加えて高密度ＤＶＤ、従来のＤＶＤ、ＣＤいずれに対しても、適切に情報を記録／再生するために良好なスポットを得ることが望まれている。又、ＤＶＤとＣＤとに対して互換可能に情報の記録及び／又は再生を行える光ピックアップ装置も実用化されているが、現在の構成に対して更なる小型化、薄形化、低コスト化等が望まれている。特に、ノート型パソコンなどにおいては、製品の競争力を高めるべく、それに搭載する光ピックアップ装置の薄形化が切望されているという実情がある。ここで、特許文献１には、薄形構成の光ピックアップ装置が開示されている。
【特許文献１】特開２００５−１０８３００号公報
【発明の開示】
【発明が解決しようとする課題】
【０００４】
しかるに、特許文献１の光ピックアップ装置の場合、光源であるレーザダイオードにカバーを兼ねたホルダが取り付けられているが、ホルダよりレーザダイオードの端子が突き出た構成となっており、組み付け時などにおいて、突き出た端子を別部品に当接させるなどすると、レーザダイオードの破損を招く恐れがある。特に、光ピックアップ装置においては、キャリヤを移動可能に支持するメインレールとサブレールとの間隔がある程度決まっており、これをより薄形にすると、レーザダイオードの一つはメインレールもしくはサブレールの近傍に配置される場合が多くなり、メインレールとサブレールとの間にキャリヤを組み付ける際に、誤ってレールに当接させてレーザダイオードの端子を折り曲げてしまう恐れがある。
【０００５】
本発明は、かかる問題点に鑑みて成されたものであり、組み付け時の取り扱い性を向上させた光ピックアップ装置を提供することを目的とする。
【課題を解決するための手段】
【０００６】
請求項１に記載の光ピックアップ装置は、光源からの光束を光学系を介して対物レンズに入射させ、前記対物レンズから光情報記録媒体の情報記録面に集光することによって情報の記録及び／又は再生を行う光ピックアップ装置において、
メインレールとサブレールに沿って移動すると共に、前記メインレール及び前記サブレールの少なくとも一方の近傍に前記光源を搭載したキャリヤと、
前記キャリヤの上部又は下部の一部を覆うカバー部材と、を有し、
前記カバー部材は、前記光源を露出する切欠と、前記光源と前記少なくとも一方との間に配置された保護部とを有する。
【０００７】
本発明の光ピックアップ装置によれば、前記カバー部材は、前記光源を露出する切欠と、前記光源と前記少なくとも一方との間に配置された保護部とを有するので、前記保護部によって、前記少なくとも一方のレール等が直接当接することを回避して、前記光源の例えば端子等を保護することができ、また前記切欠を設けることで、前記光源を露出させることによって、周囲部品を極力前記光源まで接近させることで、コンパクトな構成を提供できる。なお、本明細書中、「保護部が前記光源と前記少なくとも一方との間に配置される」とは、前記光源と前記少なくとも一方のレールとを結ぶ直線上に前記保護部が存在する状態のみを言わず、前記光源と前記少なくとも一方のレールとが接近したときに、前記光源が前記前記少なくとも一方のレールに当接する前に、前記保護部が前記少なくとも一方のレールに当接する状態を含むものとする。
【０００８】
請求項２に記載の光ピックアップ装置は、請求項１に記載の発明において、前記カバー部材は板部材であって、前記保護部は、前記光源の端子の両側に突き出して折り曲げられた部位であることを特徴とするので、安価に容易に前記カバー部材を形成できる。また、別途保護部材を設ける必要がないので、部品数や取付工数を増やすことなく、光源の保護が可能となる。
【０００９】
請求項３に記載の光ピックアップ装置は、光源からの光束を光学系を介して対物レンズに入射させ、前記対物レンズから光情報記録媒体の情報記録面に集光することによって情報の記録及び／又は再生を行う光ピックアップ装置において、
メインレールとサブレールに沿って移動するキャリヤと、
前記メインレール及び前記サブレールの少なくとも一方の近傍において、前記光源を保持するために前記キャリヤに取り付けられるホルダと、を有し、
前記ホルダは、前記光源と前記少なくとも一方との間に配置された保護部を備えていて、前記ホルダと前記保護部とは一体化していることを特徴とする。
【００１０】
本発明の光ピックアップ装置によれば、前記ホルダが、前記光源と前記少なくとも一方との間に配置された保護部を備えていて、前記ホルダと前記保護部とは一体化しているので、前記保護部によって、前記少なくとも一方のレール等が直接当接することを回避して、前記光源の例えば端子等を保護することができる。また、別途保護部材を設ける必要がないので、部品数や取付工数を増やすことなく、光源の保護が可能となる。
【００１１】
請求項４に記載の光ピックアップ装置は、光源からの光束を光学系を介して対物レンズに入射させ、前記対物レンズから光情報記録媒体の情報記録面に集光することによって情報の記録及び／又は再生を行う光ピックアップ装置において、
メインレールとサブレールに沿って移動するキャリヤが設けられ、前記キャリヤは、前記メインレール及び前記サブレールの少なくとも一方の近傍に前記光源を搭載すると共に、前記光源と前記少なくとも一方との間に配置された保護部を備えていて、前記キャリヤと前記保護部とは一体化していることを特徴とする。
【００１２】
本発明の光ピックアップ装置によれば、メインレールとサブレールに沿って移動するキャリヤが設けられ、前記キャリヤは、前記メインレール及び前記サブレールの少なくとも一方の近傍に前記光源を搭載すると共に、前記光源と前記少なくとも一方との間に配置された保護部を備えていて、前記キャリヤと前記保護部とは一体化しているので、前記保護部によって、前記少なくとも一方のレール等が直接当接することを回避して、前記光源の例えば端子等を保護することができる。また、別途保護部材を設ける必要がないので、部品数や取付工数を増やすことなく、光源の保護が可能となる。
【発明の効果】
【００１３】
本発明によれば、組み付け時の取り扱い性を向上させた光ピックアップ装置を提供することができる。
【発明を実施するための最良の形態】
【００１４】
以下、図面を参照して、本発明をさらに詳細に説明する。図１、２は、本実施の形態にかかる光ピックアップ装置の斜視図であり、図１はカバー部材を外した状態で示しており、図２はカバー部材を取り付けた状態で示している。図１において、保護層の厚さが異なる光情報記録媒体であるＢＤ又はＨＤ ＤＶＤ、ＤＶＤ及びＣＤに対して適切に情報の記録／再生を行える光ピックアップ装置ＰＵにおいて、キャリヤＣＹは、メインレールＭＲに対して係合部ＣＹａ、ＣＹａを介して係合し、且つメインレールＭＲに平行するサブレールＳＲに対して係合部ＣＹｂを介して係合し、不図示のアクチュエータによりメインレールＭＲとサブレールＳＲに沿って移動可能に支持されている。光ピックアップ装置ＰＵは、キャリヤＣＹ上に搭載された、波長λ１の光束を出射できる第１半導体レーザＬＤ１と、波長λ２の光束を出射できる第２半導体レーザ及び波長λ３の光束を出射できる第３半導体レーザとを搭載した２レーザ１パッケージ２Ｌ１Ｐと、カップリングレンズＣＬと、ダイクロイックプリズムＤＰと、偏光ビームスプリッタＰＢＳと、λ／４波長板ＱＷＰと、モニタレンズＭＬと、モニタディテクタＭＤと、レンズ（第１の光学素子）Ｌ１及びレンズ（第２の光学素子又は可動光学素子）Ｌ２からなるエキスパンダレンズＥＸＰと、反射光学素子である立ち上げミラーＭと、アクチュエータＡＣＴにより駆動可能に保持された対物レンズＯＢＪと、円筒状の調整部材ＡＭに支持されたサーボレンズＳＬと、プリズムＰＳと、光検出器ＰＤとを含む。
【００１５】
光源である第１半導体レーザＬＤ１を嵌合保持した第１レーザホルダＬＨ１は、キャリヤＣＹの側面にねじ止めされており、又、光源である２レーザ１パッケージ２Ｌ１Ｐを嵌合保持した第２レーザホルダＬＨ２は、キャリヤＣＹのサブレールＳＲ側の端面にねじ止めされている。従って、２レーザ１パッケージ２Ｌ１Ｐから突き出た３本の端子Ｔは、サブレールＳＲの外周面に対向している。
【００１６】
なお、レーザ光束は楕円状の強度分布をもっているため、それを真円状にするビーム整形素子を用いることがあるが、エキスパンダレンズＥＸＰの入射側の焦点距離を長くし、レーザ光源の発光点をエキスパンダレンズＥＸＰから離すことにより、光強度分布の変化の少ない光束の中央に近いところを用いることで、ビーム整形素子を省略しても良好な集光スポットの特性を得ることができる。ただし、本実施の形態では、メインレールＭＲとサブレールＳＲとの間隔、さらにメインレールＭＲと対物レンズＯＢＪの光軸との距離はほぼ定まっているため、２レーザ１パッケージ２Ｌ１Ｐの位置はサブレールＳＲにより制限されてしまう。このため、第１半導体レーザＬＤ１は理想的にエキスパンダレンズＥＸＰから離れた位置に配置できても、それと同じ焦点距離となる位置に、２レーザ１パッケージ２Ｌ１Ｐを配置することができない場合がある。このような場合は、２レーザ１パッケージ２Ｌ１ＰがサブレールＳＲに干渉せずに配置できるように、カップリングレンズを光路内に挿入して２レーザ１パッケージ２Ｌ１Ｐ側の合成焦点距離を調整することになるが、そのときも２レーザ１パッケージ２Ｌ１Ｐの位置は、できるだけ合成焦点距離が長くなるようにエキスパンダレンズＥＸＰから離した方がよいので、２レーザ１パッケージ２Ｌ１ＰはサブレールＳＲにできるだけ近い位置に配置することになる。
【００１７】
図２に示すように、カバー部材ＣＶは、金属製の薄い板材から形成されており、キャリヤＣＹの上部（及び／又は下部の一部でも良い）にねじ止めもしくは接着されることで、対物レンズを除く光学系と、駆動装置ＤＲとを覆うようになっており、防塵の機能及び電気ノイズなどシールドする機能を有している。カバー部材ＣＶの外縁は、第１半導体レーザＬＤ１の上部で切り欠かれた切欠ＣＶａと、２レーザ１パッケージ２Ｌ１Ｐの上部で切り欠かれた切欠ＣＶｂと、光検出器ＰＤの上部で切り欠かれた切欠ＣＶｃとを有する。又、カバー部材ＣＶの外縁から突き出した一部は折り曲げられて、サブレールＳＲに沿った方向における２レーザ１パッケージ２Ｌ１Ｐの両側において、その端子Ｔより外方に突き出た一対の保持部ＣＶｄ、ＣＶｅと、モニタディテクタＭＤを保護する保護部ＣＶｆとを形成している。
【００１８】
本実施の形態によれば、カバー部材ＣＶは、第１半導体レーザＬＤ１とレーザ２レーザ１パッケージ２Ｌ１Ｐを露出する切欠ＣＶａ、ＣＶｂを有するので、周囲部品を極力、第１半導体レーザＬＤ１と２レーザ１パッケージ２Ｌ１Ｐまで接近させることができるため、コンパクトな構成を提供できる。又、カバー部材ＣＶは、２レーザ１パッケージ２Ｌ１Ｐの両側に突き出された一対の保持部ＣＶｄ、ＣＶｅを有するので、組み付け時に、２レーザ１パッケージ２Ｌ１Ｐの端子Ｔが当接するより前に、これがサブレールＳＲと当接することで、端子ＴとサブレールＳＲとの直接当接が抑制され、組み付け時の取り扱い性を高めることができる。なお、保護部は常に２つ設ける必要はなく、ここではサブレールＳＲに係合するキャリヤＣＹの係合部ＣＶｂが、２レーザ１パッケージ２Ｌ１Ｐに隣接して配置されているので、それと反対側の保護部ＣＶｅのみ設けられていれば足りる。
【００１９】
図１において、可動光学素子であるレンズＬ２は、駆動装置（駆動手段ともいう）ＤＲにより、キャリヤＣＹに固定されたレンズＬ１に対して光軸方向に移動される。図３は、駆動装置ＤＲの概略構成図であるが、圧電素子の歪み量は実際より誇張して示している。図３において、電気機械変換素子である圧電素子ＰＺは、固定部ＦＸを介して一端（左端）側をキャリヤＣＹ（図１）に固定しており、他端（右端）には駆動軸（駆動部材ともいう）ＤＳを取り付けている。駆動軸ＤＳは、レンズＬ２を保持するホルダ（可動部材ともいう）ＥＨに設けられた開口ＥＨａ内に挿通されており、ある程度の摩擦力で接している。
【００２０】
圧電素子ＰＺは、ＰＺＴ(ジルコン・チタン酸鉛)などで形成された圧電セラミックスを積層してなる。圧電セラミックスは、その結晶格子内の正電荷の重心と負電荷の重心とが一致しておらず、それ自体分極していて、その分極方向に電圧を印加すると伸びる性質を有している。しかし、圧電セラミックスのこの方向への歪みは微小であり、この歪み量により被駆動部材を駆動することは困難であるため、図４に示すように、複数の圧電セラミックスＰＥを積み重ねてその間に電極Ｃを並列接続した構造の積層型圧電素子ＰＺが実用可能なものとして提供されている。本実施の形態では、この積層型圧電素子ＰＺを駆動源として用いている。
【００２１】
次に、この駆動装置ＤＲによるレンズＬ２の駆動方法について説明する。一般に、積層型圧電素子ＰＺは、電圧印加時の変位量は小さいが、発生力は大でその応答性も鋭い。したがって、図５（ａ）に示すように立ち上がりがゆっくりで立ち下がりが鋭い略鋸歯状波形のパルス電圧を印加すると、圧電素子ＰＺは、パルスの立ち上がり時にゆっくり伸び、立ち下がり時にそれよりも急激に縮む伸縮パターンとなる。したがって、図３（ａ）に示す状態から、圧電素子ＰＺがゆっくり伸長すると、駆動軸ＤＳの移動と共に、摩擦力で結合されたホルダＥＨも移動するため、ホルダＥＨに保持されたレンズＬ２も光軸方向に移動する（図３（ｂ）参照）。しかし、圧電素子ＰＺが急激に縮むと、ホルダＥＨの慣性により、駆動軸ＤＳとホルダＥＨとの間の摩擦力を超えて両者の相対移動が生じるので、駆動軸ＤＳは移動してもホルダＥＨはその場に留まることとなる（図３（ｃ）参照）。これにより、圧電素子ＰＺに１パルス与えて１ストローク駆動させることにより、ホルダＥＨを距離Δだけ移動させることができる。従って、圧電素子ＰＺをｎストローク駆動させると、距離ｎ×ΔだけレンズＬ１を光軸方向に移動させることができる。尚、以上より明らかであるが、図５（ｂ）に示すように電圧の立ち上がりが急激で、立ち下がりがゆっくりしたパルスを印加すれば、圧電素子ＰＺは逆の伸縮パターンを有するので、これによりホルダＥＨとレンズＬ２を逆の方向へ移動させることができる。このように駆動装置ＤＲは、圧電素子ＰＺを伸び方向と縮み方向とで速度を変えて繰り返し伸縮させることで、レンズＬ２を任意の位置へと駆動できる。
【００２２】
図６は、本実施の形態にかかるアクチュエータＡＣＴの斜視図である。ヨークを兼ねた板状のベース１は、光ピックアップ装置ＰＵのキャリヤＣＹ（図１）に固定される。ベース１上には、筐体２が固定されている。筐体２の図６で手前側には、ベース基板３が取り付けられている。ベース基板３には、片側で３本ずつ、合計６本のワイヤ４の一端が固定されており、各側のワイヤ４は、上下方向に等間隔で平行に並べられ且つベース１に沿って延在している。ワイヤ４の他端は、ホルダ５の側面に、ホルダ基板１４を介して半田固定されている。ワイヤ４は、ベース１に対してホルダ５を移動可能に支持する機能と、不図示の配線が接続されるベース基板３から、後述するコイルに対して給電するための機能とを有する。なお、筐体２内には、ワイヤ４のダンピング効果のあるジェル（不図示）が充填されている。
【００２３】
樹脂製のホルダ５は、略五角形の板状を有しており、図６で奥側の円形開口（不図示）内に対物レンズ６を装着している。この対物レンズ６は、光ピックアップ装置において、光ディスクの情報記録面にレーザ光束を集光するために用いられる。又、ホルダ５は、図６で手前側に２つの矩形開口５ａ、５ｂを形成しており、更に矩形開口５ａ、５ｂに隣接してバランサ５ｃを有している。なお、ホルダ５は、対物レンズ６側と、それと反対側との間を、矩形開口５ａの両側に配置された柱部５ｄ、５ｅとで連結し、且つ矩形開口５ｂの両側に配置された柱部５ｅ、５ｆとで連結しているともいえる。かかる構成を有しているので、矩形開口５ａ、５ｂの断面積を比較的大きく確保しても、ホルダ５の剛性を高く確保できる。又、中央の共通する柱部５ｅの中央軸線は、対物レンズ６の光軸（その延長線を含む）と交差していると、ホルダ５の良好なバランスを得ることができる。
【００２４】
矩形開口５ａ内には、ヨーク７Ａ、８Ａにそれぞれ裏打ちされた一対の磁石９Ａ，１０Ａが、磁石間の磁界の向きが矢印Ｄ１に沿うように対向配置されている。磁石９Ａとヨーク７Ａの周囲を巻回するようにして第１コイル群Ｇ１（内側コイル１２Ａと外側コイル１３Ａ）が配置されている。第１コイル群Ｇ１と磁石１０Ａとの間には、第１コイル群Ｇ１と巻軸線が直交するように巻かれたトラッキングコイル１１Ａが配置されている。
【００２５】
一方、矩形開口５ｂ内には、ヨーク７Ｂ、８Ｂにそれぞれ裏打ちされた一対の磁石９Ｂ，１０Ｂが、磁石間の磁界の向きが矢印Ｄ１に沿うように対向配置されている。磁石９Ｂとヨーク７Ｂの周囲を巻回するようにして第２コイル群Ｇ２（内側コイル１２Ｂと外側コイル１３Ｂ）が配置されている。第２コイル群Ｇ２と磁石１０Ｂとの間には、第２コイル群Ｇ２と巻軸線が直交するように巻かれたトラッキングコイル１１Ｂが配置されている。第１コイル群Ｇ１は、その両側を保持する保持体１５Ａを介して矩形開口５ａに取り付けられており、第２コイル群Ｇ２は、その両側を保持する保持体１５Ｂを介して矩形開口５ｂに取り付けられている。
【００２６】
図１において、駆動装置ＤＲの圧電素子ＰＺは、対物レンズＯＢＪの光軸を含み、且つ立ち上げミラーＭへの入射光束の軸線に直交する面で光ピックアップ装置ＰＵを分断したときに、アクチュエータＡＣＴ側に配置されている。又、圧電素子ＰＺは、対物レンズＯＢＪの光軸と、立ち上げミラーＭへの入射光束の軸線とを含む面で光ピックアップ装置ＰＵを分断したときに、光ディスクの回転軸線Ｘとは反対側に配置されている。光ピックアップ装置ＰＵの厚さ（回転軸線Ｘに沿った方向の厚さを言う）は１０ｍｍ以下である。
【００２７】
図示していない第１の光ディスク（例えばＢＤ又はＨＤ ＤＶＤ）に対して情報の記録及び／又は再生を行う場合、図１の光ピックアップ装置ＰＵにおいて、光源波長３５０〜４５０ｎｍの半導体レーザＬＤ１（第１の光源）から出射された光束は、ダイクロイックプリズムＤＰで反射され、偏光ビームスプリッタＰＢＳを通過して、λ／４波長板ＱＷＰを通過し、エキスパンダーレンズＥＸＰのレンズＬ１を通過し、駆動装置ＤＲにより第１の位置に移動させられたレンズＬ２を通過して略平行光束に変換され、立ち上げミラーＭに入射する。なお、偏光ビームスプリッタＰＢＳで反射した光束の一部は、モニタレンズＭＬを通過して、モニタディテクタＭＤに入射し、レーザパワーの監視に用いられる。
【００２８】
立ち上げミラーＭに入射した光束は、そこで反射され、対物レンズＯＢＪに入射して、ここから第１の光ディスクの情報記録面（保護層の厚さ０．１ｍｍ又は０．６ｍｍ）に集光される。
【００２９】
情報記録面で情報ピットにより変調された反射光束は、再び対物レンズＯＢＪを通過し、立ち上げミラーＭで反射された後、エキスパンダーレンズＥＸＰのレンズＬ２、Ｌ１を通過し、λ／４波長板ＱＷＰを通過し、偏光ビームスプリッタＰＢＳで反射され、サーボレンズＳＬと、調整部材ＡＭの内部を通過して、プリズムＰＳ内を反射されて、光検出器ＰＤの受光面に集光される。この光検出器ＰＤの出力信号を用いて、第１の光ディスクに情報記録された情報の読み取り信号が得られる。
【００３０】
また、光検出器ＰＤ上でのスポットの形状変化、位置変化による光量変化を検出して、合焦検出やトラック検出を行う。この検出に基づいてアクチュエータＡＣＴによる対物レンズのフォーカシングアクチュエータ、トラッキングアクチュエータ、チルト調整動作が行われる。
【００３１】
アクチュエータＡＣＴの具体的な動作について説明する。図６において、ワイヤ４を介して給電されたとき、外側コイル１３Ａ、１３Ｂには、同じ電流値で同じ方向（ここでは時計回り）に電流が流れ、磁界の向きは矢印Ｄ１の向きであるため、フレミングの左手の法則により、外側コイル１３Ａには、図で上方に向かう磁力が生じ、外側コイル１３Ｂには、図で上方に向かう磁力が生じる。従って、第１コイル群Ｇ１と第２コイル群Ｇ２が固定されたホルダ５は、図で上方に移動することなり、それにより対物レンズ６を光軸方向に移動させることでフォーカシング動作を実現することができる。なお、電流の向きを逆にすれば、ホルダ５は下方に移動する。
【００３２】
一方、内側コイル１２Ａには、時計回りの方向に電流を流し、内側コイル１２Ｂには、反時計回りの方向に電流を流すと、フレミングの左手の法則により、内側コイル１２Ａには、図で上方に向かう磁力が生じ、内側コイル１２Ｂには、図で下方に向かう磁力が生じる。従ってホルダ５には、その中心軸線回りにモーメントが作用することとなる。かかるモーメントを用いて、ホルダ５を傾けることで、対物レンズ６のチルト調整を行うことができる。なお、磁石間の磁界の向きを矢印Ｄ２の向きとして、内側コイル１２Ａ、１２Ｂの電流の流れる方向を同じ時計回りにし、外側コイル１３Ａ、１３Ｂの電流の流れる方向を異ならせる磁気回路の構成としても良い。
【００３３】
更に、トラッキングコイル１１Ａ、１１Ｂに電流を流すことで、ホルダ５を対物レンズ６と共に、光軸に直交する方向に移動可能となっており、それによりトラッキング動作を行うことができる。
【００３４】
また、第１の光ディスクの保護層の厚さのばらつきに応じて、あるいは多層ディスクへの情報記録及び／又は再生時の層間移動時に、駆動装置ＤＲによりレンズＬ２の位置を微調整することで、情報記録面の集光スポットの球面収差を補正することができ、より良好な情報の記録及び／又は再生を行うことが可能である。
【００３５】
図示していない第２の光ディスク（例えばＤＶＤ）に対して情報の記録及び／又は再生を行う場合、図１の光ピックアップ装置ＰＵにおいて、光源波長６００〜７００ｎｍの半導体レーザ（第２の光源）から出射された光束は、２レーザ１パッケージ２Ｌ１Ｐから出射され、カップリングレンズＣＬを通過することで発散角を変更され、ダイクロイックプリズムＤＰと、偏光ビームスプリッタＰＢＳを通過して、λ／４波長板ＱＷＰを通過し、エキスパンダーレンズＥＸＰのレンズＬ１を通過し、駆動装置ＤＲにより第２の位置に移動させられたレンズＬ２を通過して略平行光束に変換され、立ち上げミラーＭに入射する。なお、偏光ビームスプリッタＰＢＳで反射した光束の一部は、モニタレンズＭＬを通過して、モニタディテクタＭＤに入射し、レーザパワーの監視に用いられる。
【００３６】
立ち上げミラーＭに入射した光束は、そこで反射され、対物レンズＯＢＪに入射して、ここから第２の光ディスクの情報記録面（保護層の厚さ０．６ｍｍ）に集光される。
【００３７】
情報記録面で情報ピットにより変調された反射光束は、再び対物レンズＯＢＪを通過し、立ち上げミラーＭで反射された後、エキスパンダーレンズＥＸＰのレンズＬ２、Ｌ１を通過し、λ／４波長板ＱＷＰを通過し、偏光ビームスプリッタＰＢＳで反射され、サーボレンズＳＬと、調整部材ＡＭの内部を通過して、プリズムＰＳ内を反射されて、光検出器ＰＤの受光面に集光される。この光検出器ＰＤの出力信号を用いて、第２の光ディスクに情報記録された情報の読み取り信号が得られる。
【００３８】
また、光検出器ＰＤ上でのスポットの形状変化、位置変化による光量変化を検出して、合焦検出やトラック検出を行う。この検出に基づいてアクチュエータＡＣＴによる対物レンズのフォーカシングアクチュエータ、トラッキングアクチュエータ、チルト調整動作が行われる。
【００３９】
また、第２の光ディスクの保護層の厚さのばらつきに応じて、あるいは多層ディスクへの情報記録及び／又は再生時の層間移動時に、駆動装置ＤＲによりレンズＬ２の位置を微調整することで、情報記録面の集光スポットの球面収差を補正することができ、より良好な情報の記録及び／又は再生を行うことが可能である。
【００４０】
図示していない第３の光ディスク（例えばＣＤ）に対して情報の記録及び／又は再生を行う場合、図１の光ピックアップ装置ＰＵにおいて、光源波長７００〜８００ｎｍの半導体レーザ（第３の光源）から出射された光束は、２レーザ１パッケージ２Ｌ１Ｐから出射され、カップリングレンズＣＬを通過することで発散角を変更され、ダイクロイックプリズムＤＰと、偏光ビームスプリッタＰＢＳを通過して、λ／４波長板ＱＷＰを通過し、エキスパンダーレンズＥＸＰのレンズＬ１を通過し、駆動装置ＤＲにより第３の位置に移動させられたレンズＬ２を通過して有限発散光束に変換され、立ち上げミラーＭに入射する。なお、偏光ビームスプリッタＰＢＳで反射した光束の一部は、モニタレンズＭＬを通過して、モニタディテクタＭＤに入射し、レーザパワーの監視に用いられる。
【００４１】
立ち上げミラーＭに入射した光束は、そこで反射され、対物レンズＯＢＪに入射して、ここから第３の光ディスクの情報記録面（保護層の厚さ１．２ｍｍ）に集光される。
【００４２】
情報記録面で情報ピットにより変調された反射光束は、再び対物レンズＯＢＪを通過し、立ち上げミラーＭで反射された後、エキスパンダーレンズＥＸＰのレンズＬ２、Ｌ１を通過し、λ／４波長板ＱＷＰを通過し、偏光ビームスプリッタＰＢＳで反射され、サーボレンズＳＬと、調整部材ＡＭの内部を通過して、プリズムＰＳ内を反射されて、光検出器ＰＤの受光面に集光される。この光検出器ＰＤの出力信号を用いて、第３の光ディスクに情報記録された情報の読み取り信号が得られる。
【００４３】
また、光検出器ＰＤ上でのスポットの形状変化、位置変化による光量変化を検出して、合焦検出やトラック検出を行う。この検出に基づいてアクチュエータＡＣＴによる対物レンズのフォーカシングアクチュエータ、トラッキングアクチュエータ、チルト調整動作が行われる。
【００４４】
本実施の形態によれば、駆動装置ＤＲの圧電素子ＰＺは、対物レンズＯＢＪの光軸を含み、且つ立ち上げミラーＭへの入射光束の軸線に直交する面で光ピックアップ装置ＰＵを分断したときに、アクチュエータＡＣＴ側に配置されているので、対物レンズＯＢＪとレーザ光源ＬＤ１又は２Ｌ１Ｐとの間にある光学素子を、圧電素子ＰＺから離すことができ、部材間の隙間を減少させた場合でも、熱の影響が及ばないようにできる。又、圧電素子ＰＺは、対物レンズＯＢＪの光軸と、立ち上げミラーＭへの入射光束の軸線とを含む面で光ピックアップ装置ＰＵを分断したときに、光ディスクの回転軸線Ｘとは反対側に配置されているので、光ディスクを回転させるスピンドルモータＳＭとの干渉を回避でき、光ピックアップ装置における光ディスクの回転軸中心方向へのアクセス可能な範囲を広げることができる。
【００４５】
図７は、駆動装置ＤＲの変形例を示す図である。図７の駆動装置ＤＲにおいては、駆動軸ＤＳの一端にキャリヤＣＹを介してレンズＬ１が固定されている。一方、駆動軸ＤＳの他端には、電気機械変換素子である圧電素子ＰＺが固定されている。圧電素子ＰＺは、駆動部である駆動軸ＤＳのみに取り付けられている。レンズＬ２が取り付けられたＬ字状のホルダＥＨには、板ばねＳＰＧが取り付けられ、駆動軸ＤＳの外周をホルダＥＨに向かって付勢している。本実施の形態においても、圧電素子ＰＺに、図５に示すようなパルス状の電圧を印加することで、ホルダＥＨを軸線方向に任意の量だけ移動させることができる。なお、このような駆動装置については、特開２００２−９５２７４号公報、特開２００２−３００７８９号公報、特開２００２−３００７９０号公報、特開２００３−３３０５３号公報等に詳細に開示されている。
【００４６】
図８は、第２の実施の形態にかかる光ピックアップ装置の斜視図である。本実施の形態においては、カバー部材ＣＶに保護部を設ける代わりに、第２レーザホルダＬＨ２に保護部を設けている。より具体的には、図８において、第２レーザホルダＬＨ２は、キャリヤＣＹに取り付けられた状態で、サブレールＳＲ側の端面において、装着した２レーザ１パッケージ２Ｌ１Ｐの端子ＴよりサブレールＳＲ側に突き出している壁状の保護部ＬＨ２ａ、ＬＨ２ｂを有している。
【００４７】
本実施の形態によれば、第２レーザホルダＬＨ２は、２レーザ１パッケージ２Ｌ１Ｐの両側に突き出された一対の保持部ＬＨ２ａ、ＬＨ２ｂを有するので、組み付け時に、２レーザ１パッケージ２Ｌ１Ｐの端子Ｔが当接する前に、これがサブレールＳＲと当接することで、端子ＴとサブレールＳＲとの直接当接が抑制され、組み付け時の取り扱い性を高めることができる。なお、保護部は常に２つ設ける必要はなく、ここではサブレールＳＲに係合するキャリヤＣＹの係合部ＣＶｂが、２レーザ１パッケージ２Ｌ１Ｐに隣接して配置されているので、それと反対側の保護部ＬＨ２ｂのみ設けられていれば足りる。また、保護部ＬＨ２ａ、ＬＨ２ｂはレーザホルダＬＨ２と一体化しているので、部品数や取付工数を増やすことなく、光源の保護が可能となる。
【００４８】
図９は、第３の実施の形態にかかる光ピックアップ装置の斜視図である。本実施の形態においては、カバー部材ＣＶに保護部を設ける代わりに、キャリヤＣＹに保護部を設けている。より具体的には、図９において、キャリヤＣＹは、第２レーザホルダＬＨ２の近傍において、２レーザ１パッケージ２Ｌ１Ｐの端子ＴよりサブレールＳＲ側に突き出している壁状の保護部ＣＹｃを有している。
【００４９】
本実施の形態によれば、キャリヤＣＹは、２レーザ１パッケージ２Ｌ１Ｐの近傍で突き出された保持部ＣＹｃを有するので、組み付け時に、２レーザ１パッケージ２Ｌ１Ｐの端子Ｔが当接する前に、これがサブレールＳＲと当接することで、端子ＴとサブレールＳＲとの直接当接が抑制され、組み付け時の取り扱い性を高めることができる。また、保護部ＣＹｃはキャリヤＣＹと一体化しているので、部品数や取付工数を増やすことなく、光源の保護が可能となる。
【００５０】
以上、本発明を実施の形態を参照して説明してきたが、本発明は上記実施の形態に限定して解釈されるべきではなく、適宜変更・改良が可能であることはもちろんである。
【図面の簡単な説明】
【００５１】
【図１】第１の実施の形態にかかる光ピックアップ装置の斜視図である。
【図２】第１の実施の形態にかかる光ピックアップ装置の斜視図である。
【図３】本実施の形態の駆動装置ＤＲの概略構成図である。
【図４】複数の圧電セラミックスＰＥを積み重ねてその間に電極Ｃを並列接続した構造の積層型圧電アクチュエータＰＺを示す斜視図である。
【図５】圧電アクチュエータＰＺに印加される電圧パルスの波形を示す図である。
【図６】本実施の形態にかかるアクチュエータＡＣＴの斜視図である。
【図７】変形例にかかる駆動装置ＤＲの概略構成図である。
【図８】第２の実施の形態にかかる光ピックアップ装置の斜視図である。
【図９】第３の実施の形態にかかる光ピックアップ装置の斜視図である。
【符号の説明】
【００５２】
１ ベース
２ 筐体
２Ｌ１Ｐ ２レーザ１パッケージ
３ ベース基板
４ ワイヤ
５ ホルダ
５ａ 矩形開口
５ｂ 矩形開口
５ｃ バランサ
５ｄ 柱部
５ｅ 柱部
５ｆ 柱部
６ 対物レンズ
７Ａ ヨーク
７Ｂ ヨーク
８Ａ ヨーク
８Ｂ ヨーク
９Ａ 磁石
９Ｂ 磁石
１０Ａ 磁石
１０Ｂ 磁石
１１Ａ トラッキングコイル
１１Ｂ トラッキングコイル
１２Ａ 内側コイル
１２Ｂ 内側コイル
１３Ａ 外側コイル
１３Ｂ 外側コイル
１４ ホルダ基板
１５Ａ 保持体
１５Ｂ 保持体
ＡＣＴ アクチュエータ
ＡＭ 調整部材
Ｃ 電極
ＣＬ カップリングレンズ
ＣＹ キャリヤ
ＣＹａ、ＣＹｂ  係合部
ＣＹｃ  保護部
ＣＶ  カバー部材
ＣＶａ、ＣＶｂ、ＣＶｃ  切欠
ＣＶｄ、ＣＶｅ、ＣＶｆ  保護部
Ｄ１，Ｄ２  磁界の向き
ＤＰ ダイクロイックプリズム
ＤＲ 駆動装置
ＤＳ 駆動軸
ＥＨ  ホルダ
ＥＨａ 開口
ＥＸＰ エキスパンダーレンズ
ＦＸ 固定部
Ｇ１ 第１コイル群
Ｇ２ 第２コイル群
ＨＤ１ 第１のホルダ
ＨＤ２ 第２のホルダ
Ｌ１ レンズ
Ｌ２ 可動レンズ
ＬＤ１ 半導体レーザ
ＬＨ１  第１レーザホルダ
ＬＨ２  第２レーザホルダ
ＬＨ２ａ、ＬＨ２ｂ  保護部
ＳＭ スピンドルモータ
ＳＲ サブレール
ＳＰＧ  板ばね
Ｍ ミラー
ＭＤ モニタディテクタ
ＭＬ モニタレンズ
ＭＲ メインレール
ＯＢＪ 対物レンズ
ＰＢＳ 偏光ビームスプリッタ
ＰＤ 光検出器
ＰＥ 圧電セラミックス
ＰＳ プリズム
ＰＵ 光ピックアップ装置
ＰＺ 圧電素子
ＱＷＰ λ／４波長板
ＳＬ サーボレンズ
Ｘ 回転軸線
【図１】
2007200487.tif 000003
【図２】
2007200487.tif 000004
【図３】
2007200487.tif 000005
【図４】
2007200487.tif 000006
【図５】
2007200487.tif 000007
【図６】
2007200487.tif 000008
【図７】
2007200487.tif 000009
【図８】
2007200487.tif 000010
【図９】
2007200487.tif 000011